(57)【要約】【課題】  本発明は、身障者が車椅子に乗ったままで、介護者が一人で、簡単に入浴などができ、且つ排便ができると共に、身障者及び介護者の双方が充満している温熱の鉱石ミネラルによる発汗作用にて入浴ができること。【解決手段】  車椅子にてシャワーができるシャワー部１１ｂと前記車椅子にて排便可能な便器１１ｃとを備えたシャワー兼用室１１が車椅子乗用入浴床部１２上に備えられていること。該車椅子乗用入浴床部１２と薬石層部１３からなる温熱室１として構成されていること。前記椅子乗用入浴床部１２表面の敷石ブロック１２ａの下側に下部薬石層部１５が設けられると共に、該下部薬石層部１５及び前記薬石層部１３の下側にはコンクリート層部１６が打設されていること。該コンクリート層部１６，前記下部薬石層部１５及び前記薬石層部１３には、屋外に設置したボイラ４からの温水を循環させる温水パイプ３が埋設されてなること。【選択図】      図３
2010094214.tif 000002
【特許請求の範囲】
【請求項１】
車椅子にてシャワーができるシャワー部と前記車椅子にて排便可能な便器とを備えたシャワー兼用室が車椅子乗用入浴床部上に備えられ、該車椅子乗用入浴床部と薬石層部からなる温熱室として構成され、前記椅子乗用入浴床部表面の敷石ブロックの下側に下部薬石層部が設けられると共に、該下部薬石層部及び前記薬石層部の下側にはコンクリート層部が打設され、該コンクリート層部，前記下部薬石層部及び前記薬石層部には、屋外に設置したボイラからの温水を循環させる温水パイプが埋設されてなることを特徴とする車椅子対応温熱風呂装置。
【請求項２】
請求項１において、前記薬石層部及び前記下部薬石層部の薬石は、ゲルマニウム石、トルマリン石、麦飯石、昌質石灰岩、陽起石、硫紋岩、花嵐岩、玄武岩、角閃岩等で構成されると共に、これらが細粒として混合されてなることを特徴とする車椅子対応温熱風呂装置。
【請求項３】
請求項１又は２において、前記下部薬石層部及び前記薬石層部の内部に、屋外に設置した温泉水貯槽からの温泉水を浸出させる温泉水浸出用パイプが設けられてなることを特徴とする車椅子対応温熱風呂装置。
【請求項４】
請求項１，２又は３において、前記車椅子乗用入浴床部と前記薬石層部とは仕切り立上り壁を介して併設されるとともに、前記薬石層部の高さが前記車椅子乗用入浴床部面よりも数十cm高くなるように構成されたことを特徴とする車椅子対応温熱風呂装置。
【請求項５】
請求項４において、仕切り立上り壁の上端辺には、木製の手摺材が設けられてなることを特徴とする車椅子対応温熱風呂装置。
【請求項６】
請求項４において、仕切り立上り壁の上端辺には、軟質合成樹脂製の手摺材が設けられてなることを特徴とする車椅子対応温熱風呂装置。
【発明の詳細な説明】
【技術分野】
【０００１】
本発明は、身障者が車椅子に乗ったままで、介護者が一人で、簡単に入浴などができ、且つ排便ができると共に、身障者及び介護者の双方が充満している温熱の鉱石ミネラルによる発汗作用にて入浴ができる車椅子対応温熱風呂装置に関する。本発明の入浴は、直接に湯船に入らずに温熱室内に充満している鉱物ミネラル、マイナスイオン及び遠赤外線などによる発汗作用を行うことであり、「岩盤浴」と称する。
【背景技術】
【０００２】
従来より、車椅子に乗った身障者を、一般の浴槽に入れて入浴させるには、少なくとも２，３人の介護者の手をかりる必要があった。このため、従来より、身障者を如何に簡単に入浴させることができるかは、福祉・看護の重要なテーマとされている。そのため、身障者、老人等の被介護者のための介護専用の入浴設備として、種々の簡易浴槽が存在している。この種の浴槽の主なものとして、特許文献１に開示されているように、身障者、被介護者等の入浴者が槽内に入りやすくするために、約４５度傾ける転倒型の浴槽が設けられている。依然として、介護者にとっては面倒である。
【特許文献１】特開平９−２９４７９５号
【特許文献２】特開平７−３１６５６号
【特許文献３】特開平６−３１９７７７号
【０００３】
特許文献２では、車椅子自体の構造を変えて、車椅子を傾斜、昇降できるようにして在宅入浴ができるようにしたものであるが、この場合では、入浴用の車椅子を別に用意しなければならず、費用的に無理がある。また、特許文献３では、身障者を車椅子ごと吊って身障者を運び入浴させようとしたものである。この場合には、かなり大掛かりの装置を必要し、かつ費用も掛かるなどの問題点があった。
【０００４】
さらに、身障者の中にはおむつを常用している者も多い。このような身障者の中には、風呂場内で、その本人の無意識状態で排便してしまうことがある。これは、気持ちが良くなった状態となったときに屡発生するものと言われている。これが、個人宅であれば問題はないが、公共などの施設の温泉では、その身障者個人、その家族、介護者にも多大な迷惑をかけることに発展する。この問題にも耐えうることも必要である。
【発明の開示】
【発明が解決しようとする課題】
【０００５】
一人の介護者で、車椅子に乗った身障者を仮に、浴槽に入れたとしても、快適な入浴をさせるためには、介護者の身体洗いというサービスが必須であり、介護者にとって大変に重労働である。ましてや、風呂場内での排便までも補助するのは到底無理である。このため、本発明が解決しようとする課題（技術的課題又は目的等）は、一人の介護者で、通常の車椅子としつつ、該車椅子に乗った身障者の入浴ができるのみならず、排便もそのままでき、介護者の身体洗いや排便補助というサービスをしなくとも、身障者の快適な入浴（岩盤浴）ができるとともに、介護人も、介護をしながら入浴できることを実現することである。
【課題を解決するための手段】
【０００６】
そこで、発明者は上記課題を解決すべく鋭意，研究を重ねた結果、請求項１の発明を、車椅子対応できるシャワー兼用室と、該シャワー兼用室に隣接して、車椅子乗用入浴床部と薬石層部からなる温熱室が備えられ、前記椅子乗用入浴床部表面の敷石ブロックの下側に下部薬石層部が設けられると共に、該下部薬石層部及び前記薬石層部の下側にはコンクリート層部が打設され、該コンクリート層部，前記下部薬石層部及び前記薬石層部には、屋外に設置したボイラからの温水を循環させる温水パイプが埋設されてなることを特徴とする車椅子対応温熱風呂装置としたことにより、前記課題を解決した。
【０００７】
請求項２の発明を、請求項１において、前記薬石層部及び前記下部薬石層部の薬石は、ゲルマニウム石、トルマリン石、麦飯石、昌質石灰岩、陽起石、硫紋岩、花嵐岩、玄武岩、角閃岩等で構成されると共に、これらが細粒として混合されてなることを特徴とする車椅子対応温熱風呂装置としたことにより、前記課題を解決した。請求項３の発明を、請求項１又は２において、前記下部薬石層部及び前記薬石層部の内部に、屋外に設置した温泉水貯槽からの温泉水を浸出させる温泉水浸出用パイプが設けられてなることを特徴とする車椅子対応温熱風呂装置としたことにより、前記課題を解決した。
【０００８】
請求項４の発明を、請求項１，２又は３において、前記車椅子乗用入浴床部と前記薬石層部とは仕切り立上り壁を介して併設されるとともに、前記薬石層部の高さが前記車椅子乗用入浴床部面よりも数十cm高くなるように構成されたことを特徴とする車椅子対応温熱風呂装置としたことにより、前記課題を解決した。また、請求項５の発明を、請求項４において、仕切り立上り壁の上端辺には、木製の手摺材が設けられてなることを特徴とする車椅子対応温熱風呂装置としたことにより、前記課題を解決した。請求項６の発明を、請求項４において、仕切り立上り壁の上端辺には、軟質合成樹脂製の手摺材が設けられてなることを特徴とする車椅子対応温熱風呂装置としたことにより、前記課題を解決したものである。
【発明の効果】
【０００９】
請求項１の発明においては、特に、一人の介護者で、通常の車椅子としつつ、この車椅子に乗った身障者の入浴ができるのみならず、介護者の身体洗いというサービスをしなくとも、身障者の快適な入浴ができるとともに、介護人も、介護をしながら入浴できる利点がある。さらに、身障者及び介護者双方の健康増進を図ることができる効果を奏する。さらに、請求項２の発明における薬石は、ゲルマニウム石、トルマリン石、麦飯石、昌質石灰岩、陽起石、硫紋岩、花嵐岩、玄武岩、角閃岩等で構成されると共に、これらが細粒として混合されてなるため、マイナスイオン及び遠赤外線などが発生し、身体への良好なる効能も奏する。請求項３の発明においては、温泉水の蒸気などによって、鉱物ミネラルが発生し、これまた、身体に良好となる。請求項４の発明では、車椅子に乗った身障者が安全且つ容易に薬石層部上に移ることができる。請求項５及び６の発明では、車椅子に乗った身障者が薬石層部上に移るのに安全且つ安心してできる効果を奏する。
【発明を実施するための最良の形態】
【００１０】
以下、本発明の実施形態について図面に基づいて説明すると、図１乃至図２は、本発明の車椅子対応温熱風呂装置の平面図である。主な構成は、車椅子対応のシャワー兼用室１１が温熱室１内に設けられている。該温熱室１の壁部及び天井は、鉄筋コンクリート製，モルタル製或いは防湿性を有する部材等で構成されている。前記シャワー兼用室１１には、複数にカーテンなどで区切られた仕切り部１１ａ，１１ａ，…の壁に、それぞれシャワー部１１ｂ，１１ｂ，…が設けられている。さらに、前記仕切り部１１ａ，１１ａ，…内にそれぞれ洋式の便器１１ｃ，１１ｃ，…が備えられている。前記シャワー兼用室１１の床は、車椅子乗用入浴床部１２として構成されている。
【００１１】
該車椅子乗用入浴床部１２に隣接して薬石層部１３が設けられている。前記車椅子乗用入浴床部１２と前記薬石層部１３とは仕切り立上り壁１４にて区切られて構成されている。前記車椅子乗用入浴床部１２と前記薬石層部１３とで温熱室１が構成されている。前記車椅子乗用入浴床部１２は、コンクリート製などの強固で固い材質で構成され、車椅子が出入りでき、さらには、前記仕切り部１１ａ内に身障者が車椅子に乗ったままシャワー部１１ｂを利用できるように構成されている。該シャワー部１１ｂの湯は、通常の湯の場合や、温泉水とすることもある。
【００１２】
前記車椅子乗用入浴床部１２は、前記薬石層部１３の表面の高さよりも数十cm下側位置となるような高さ位置で、しかも前記シャワー兼用室１１の床として正方形状（長方形状の場合もある）の方形状の敷石ブロック１２ａ，１２ａ，…が敷き詰められ、平坦な床をなし、身障者が乗用した車椅子がどの位置であっても安定した状態で載置可能に構成されている。前記シャワー兼用室１１を有する温熱室１に隣接して更衣室２が設けられている。該更衣室２には、車椅子乗用床部２１が設けられると共に、ロッカー２２及び車椅子用トイレ２３が備えられている。前記更衣室２には、下駄箱２４、正面側の出入り口２５が設けられている。該出入り口２５箇所には敷石ブロックがあるが、勿論、車椅子の走行に支障なきように構成されている。
【００１３】
さらに、前記車椅子乗用入浴床部１２の具体的な構成は、前記敷石ブロック１２ａ，１２ａ，…の下側には、薬石層部１３と同じ薬石からなる下部薬石層部１５が設けられている。さらに、具体的には、前記敷石ブロック１２ａ，１２ａ，…は、所定厚さ（約１０〜１５cm程度）敷き詰められた下部薬石層部１５の上に並べられており、車椅子が安定して乗用できるようになっている。重要な点は、前記敷石ブロック１２ａ，１２ａ，…相互間の隙間を介して、下部薬石層部１５及び温泉水から鉱物ミネラルの発生、マイナスイオン及び遠赤外線が発生する。
【００１４】
前記薬石層部１３は、薬石としてゲルマニウム石、トルマリン石、麦飯石、昌質石灰岩、陽起石、硫紋岩、花嵐岩、玄武岩、角閃岩等であり、これらが細粒とし混合された状態の層である。その厚さは、約２０cm乃至約４０cm程度である。この厚さのものが、段差がある前記コンクリート層部１６上に敷き詰められている。低い位置では、前記敷石ブロック１２ａ，１２ａ，…の下側には前記下部薬石層部１５として、前記薬石層部１３の薬石と同等のものが敷き詰められている。
【００１５】
前記薬石層部１３と前記下部薬石層部１５及びコンクリート層部１６内には、室外に設けられたボイラ４に接続された加熱用の温水パイプ３が埋設されている。一般に、該温水パイプ３は、全体として上下３重式に形成されていて、上側の１重は前記薬石層部１３及び下部薬石層部１５の中間位置（高さ方向）に埋設されている。下側の２重は前記コンクリート層部１６内に埋設されている。また、前記仕切り立上り壁１４は、連続壁として形成されているが、前記敷石ブロック１２ａ，１２ａ，…及び前記下部薬石層部１５箇所においては、前記温水パイプ３が貫通するように構成されている。図中１８は、温熱室出入り口である。
【００１６】
このように構成された前記温水パイプ３内には、前記ボイラ４によって加熱された温水が温水パイプ３内を循環し、前記薬石層部１３，下部薬石層部１５及びコンクリート層部１６を加熱して、ひいては温熱室１内を温熱化できる。さらに、温泉水浸出用パイプ５は、前記薬石層部１３及び下部薬石層部１５内に埋設され、その途中の分岐部５ａ及び一端（図３において左側寄り）は前記薬石層部１３及び下部薬石層部１５内に浸水するように開口され、他端（図３において右側）は、外部に設けた温泉水貯槽６に接続されており、石風呂使用時に徐々に温泉水を浸出させて、この浸透している温泉水は、加熱されることにより、蒸気となって前記温熱室１内に充満される。特に、前記温水パイプ３による加熱と、温泉水浸出用パイプ５からの温泉水そのものの加熱にて、前記温熱室１の室温は約４５℃に保たれ、そして前記薬石層部１３，下部薬石層部１５にしみ込んだ温泉水が蒸発する。
【００１７】
本発明では、単なる温泉蒸気ではなく、細粒化した温泉蒸気になる。このため、皮膚から身体に入り込み易くできる。さらに、温泉蒸気を前記温熱室１内に充満させることによって、細粒化した温泉水に含まれる鉱物ミネラルが体内に良好に浸透し、また薬石の細粒を床に敷詰めることで、マイナスイオンや遠赤外線の放出によって、前記温熱室１内で入浴する場合は、温泉浴やサウナに比較して身体に効果的に作用する。つまり、鉱物ミネラルの発生、マイナスイオン及び遠赤外線の発生などがあることで、格段と効果がある。
【００１８】
前記敷石ブロック１２ａは、前記薬石層部１３及び下部薬石層部１５の薬石と同材質をなしている。さらに、前記薬石層部１３及び下部薬石層部１５の薬石は、数十cm平方などのブロック状、すなわち、岩盤状に形成されることがある。このようなブロック状の前記敷石ブロック１２ａ，前記薬石層部１３及び下部薬石層部１５でも、鉱物ミネラルは発生する。また、前記温泉水貯槽６には、単なる温水を入れることもある。
【００１９】
本発明の作用について説明する。まず、車椅子に乗った身障者と共に、一人の介護者が更衣室２に入る。このとき、介護者は、車椅子に乗った身障者が入浴できる寝巻き、作務衣などに着替えさせてやる。さらに、その介護者も、同様に着替える。そして、身障者と介護者は、約４５℃の温熱室１内に入る。このとき、両者は、ミネラル水などを入浴中に十分に摂るようにする。これは、約４５℃の温熱室１内では、発汗作用が活発となるためでもあり、さらに活発化させるためにも水分補給は行う。
【００２０】
そして、温熱室１内の薬石層部１３上の介護者は勿論のこと、温泉水ミネラル粒子が充満した約４５℃の温熱室１内に居る車椅子に乗った身障者でも、その車椅子乗用入浴床部１２の下側も、温水パイプ３による下部薬石層部１５によるマイナスイオンや遠赤外線も発生し、身障者と介護者は、身体のあらゆる汗腺が開き、驚くほどの発汗作用があり、大量の汗をかき、身体の垢も、汗と共に流れ落ちるものである。この温熱室１内で、車椅子に乗った身障者であっても、温泉水浸出用パイプ５からの温泉水にて、該温泉水に含まれる鉱物ミネラルが身体内に良好に浸透させることができる。
【００２１】
また薬石層部１３及び下部薬石層部１５には細粒を床に敷詰めることで、放出されたマイナスイオンや遠赤外線も身体内に良好に浸透して身障者及び介護者双方の健康増進を図ることができる。このような驚くほどの発汗作用によって、介護者が身障者の身体洗いというサービスをしなくとも、身障者の快適な入浴ができる最大の利点がある。さらに、介護人も、介護をしながら入浴できる利点がある。
【００２２】
さらには、通常の介護による入浴は、手間と労力を必要とする大変な仕事であるが、本発明による車椅子対応温熱風呂装置では、介護をする人にも、介護をしながら入浴できて、介護者の方の疲労回復も一挙にでき、大変に喜ばれる装置である。特に、本願発明では、使用した身障者が、この車椅子対応風呂を使い、風呂場内で、その本人の無意識状態で排便してしまったとしても、車椅子に乗ったままで、排便も可能であるため、個人宅でなく、公共などの施設の温泉であっても、その身障者個人、その家族、介護者にも全く迷惑をかけることなく対応できる最大の利点がある。
【００２３】
身障者でも、ただ車椅子に乗ったままではなく、前記薬石層部１３上に乗りたい場合には、車椅子から降りて、薬石層部１３上に簡単に乗り移れる。つまり、本発明では、該薬石層部１３の高さが前記車椅子乗用入浴床部１２面よりも数十cm高くなるように構成されているので、車椅子から容易に移れる。特に、前記仕切り立上り壁１４の上端辺には、木製の手摺材１４ａの場合〔図５（Ａ）参照〕，軟質合成樹脂製の手摺材１４ａの場合〔図５（Ｂ）参照〕或いは発泡合成樹脂材製の手摺材１４ａの場合〔図５（Ｃ）参照〕があり、介護者及び身障者にとって、安全かつ安心して薬石層部１３上に乗り移ることができる。薬石層部１３に移った後は、さらに楽な姿勢（寝転んだりして）で入浴できる。このようにして温熱室１内で身障者と介護者は、大量の汗をかいた後には、シャワー兼用室１１のシャワー部１１ｂを利用することで、身体中の汗を取り除き、さっぱりとなり極めて快適にできる。
【００２４】
以上のように、鉱石風呂、岩盤浴を利用した車椅子利用者専用風呂としての車椅子対応温熱風呂装置では、室温約４５度で、身障者は車椅子に乗ったままで、排便にも対応できると共に、鉱物ミネラル粒子とマイナスイオンや遠赤外線などで大量の汗を出し、健康増進を図れる。さらに、従来では、身障者が、風呂に入る作業が２〜３人の手をかりなければ入浴できない最大の欠点があったが、車椅子に乗ったままでの入浴であれば、１人の手をかりる事で一般の入浴よりさわやかな気分になることができ、室内は、ミネラルが充満している為、病気中の人にとっても、年齢制限なく入浴できる。
【産業上の利用可能性】
【００２５】
本発明は、車椅子に乗ったままで入浴でき、１人の手をかりることで入浴でき、身障者に温泉という別天地を簡単に与えることができ、排便にも対応でき、サウナと異なり、低温であり、病気の人でも、おむつ常用の身障者でも、年齢も制限なく入浴できるため、我国の今後の福祉政策に極めて利用価値の高いものにできる。
【図面の簡単な説明】
【００２６】
【図１】本発明の概略を示す一部断面とした平面図である。
【図２】本発明の温熱室を一部断面とした拡大平面図である。
【図３】本発明の温熱室の拡大縦断面図である。
【図４】温熱室を一部縦断した要部斜視図である。
【図５】（Ａ），（Ｂ），（Ｃ）はそれぞれ温熱室内の仕切り立上り壁の断面図である。
【符号の説明】
【００２７】
１…温熱室、１１…シャワー兼用室、１１ｂ…シャワー部、１１ｃ…便器、
１２…車椅子乗用入浴床部、１２ａ…敷石ブロック、１５…下部薬石層部、
１３…薬石層部、１４…仕切り立上り壁、１４ａ…手摺材、１６…コンクリート層部、
３…温水パイプ、４…ボイラ、５…温泉水浸出用パイプ、６…温泉水貯槽。
【図１】
2010094214.tif 000003
【図２】
2010094214.tif 000004
【図３】
2010094214.tif 000005
【図４】
2010094214.tif 000006
【図５】
2010094214.tif 000007